(57)【要約】      （修正有）【課題】粘着性の高い搬送材料の掻き落とし性能を向上することができるバケットエレベータを提供する。【解決手段】バケットは、底部所定範囲を一定の曲率で円弧状に湾曲させた底面湾曲部２１の両端から徐々に開く様にほぼ接線方向に連続させた第１平板部２２及び第２平板部２３を備え、側板２４，２５によって側面塞いだバケット本体２０の内部に、底面湾曲部２１の曲率中心となる位置を中心に回転可能であって、底面湾曲部２１の幅全体に渡って伸びる水平部３１ａと、側板２４，２５に平行に回転中心方向に伸びる側面部３１ｂ，３１ｂとからなる概略コ字状の枠体で構成されたスクレーパ羽根３１を等角度間隔で３枚備えたスクレーパ装置３０を備えている。【選択図】図２
0003216993.tif 000002
【実用新案登録請求の範囲】
【請求項１】
材料投入口を備えたケーシング内に設置した無端状チェーンに対して所定間隔で多数のバケットを取り付けた本体部分を備え、前記無端状チェーンを駆動することにより、前記材料投入口から投入された搬送材料を前記バケットで掬い上げ、前記ケーシング上部の排出口から排出する様に構成し、さらに、以下の構成を備えていることを特徴とするバケットエレベータ。
（１Ａ）前記バケットは、底部所定範囲を一定の曲率で円弧状に湾曲させた底面湾曲部の両端から徐々に開く様にほぼ接線方向に連続させた第１平板部及び第２平板部を備え、側板によって側面を塞ぐことにより、一端開口を有するバケット本体を備えていること。
（１Ｂ）前記バケット本体内には、前記底面湾曲部の曲率中心となる位置を中心に回転可能となる様に、スクレーパ装置が取り付けられていること。
（１Ｃ）前記スクレーパ装置は、スクレーパ羽根と、前記側板に対して回転可能に軸支持させるためのボス部と、前記ボス部に嵌合された支持軸と、前記バケット本体の外側に位置する様に前記支持軸に固定されたギヤとを備えていること。
（１Ｄ）前記排出口から搬送材料を排出するために前記バケットの開口を下向きに反転させる位置に、前記スクレーパ装置のギヤを回転させることにより、前記スクレーパ羽根を回転させるスクレーパ駆動装置を備えていること。
【請求項２】
さらに、以下の構成をも備えていることを特徴とする請求項１に記載のバケットエレベータ。
（２）前記スクレーパ装置は、前記スクレーパ羽根として、等角度間隔となる様に複数枚を備えていること。
【請求項３】
さらに、以下の構成をも備えていることを特徴とする請求項１又は２に記載のバケットエレベータ。
（３）前記スクレーパ羽根を、前記底面湾曲部の幅全体に渡って伸びる水平部と、該水平部の両端から前記側板に平行に回転中心方向に伸びる側面部とからなる概略コ字状の枠体で構成すること。
【請求項４】
さらに、以下の構成をも備えていることを特徴とする請求項１〜３のいずれかに記載のバケットエレベータ。
（４）前記スクレーパ駆動装置は、一対のチェーンホイールに巻き掛けた無端状のチェーンに対して所定間隔で設置された多数の作動爪を備え、前記作動爪は、当該スクレーパ駆動装置の設置位置に移動してきた前記スクレーパ装置のギヤの歯に噛み合うことができる長さを有し、前記チェーンに対して外側に向かって直角に突出した状態となる様に取り付けられ、前記一対のチェーンホイールの一方と前記本体部分の上側チェーンホイールとの間で動力を伝達する手段を備えていること。
【請求項５】
バケットエレベータのケーシング内に設置される無端状チェーンに対して取り付けられる一端開口を有するものであって、以下の構成を備えていることを特徴とするバケットエレベータ用バケット。
（５）底部所定範囲を一定の曲率で円弧状に湾曲させた底面湾曲部の両端から徐々に開く様にほぼ接線方向に連続させた第１平板部及び第２平板部を備え、側板によって側面塞いだバケット本体の内部に、前記底面湾曲部の曲率中心となる位置を中心に回転可能であって、前記底面湾曲部の幅全体に渡って伸びる水平部と、該水平部の両端から前記側板に平行に回転中心方向に伸びる側面部とからなる概略コ字状の枠体で構成されたスクレーパ羽根を等角度間隔で複数枚備えるスクレーパ装置を備えていること。
【請求項６】
さらに、以下の構成をも備えていることを特徴とする請求項５に記載のバケットエレベータ用バケット。
（６）前記スクレーパ羽根を、前記スクレーパ装置を前記バケット本体の側板に接合するボス部と前記側面部との間に、内窄まりの傾斜部を介在させた構成とすること。
【考案の詳細な説明】
【技術分野】
【０００１】
本考案は、バケットエレベータ及びバケットエレベータ用バケットに関する。
【背景技術】
【０００２】
従来より、バケットエレベータを用いて粘着性の高い材料を搬送する場合、バケット反転時に搬送材料の一部がバケット内に残留するという問題がある。
【０００３】
このため、バケットエレベータ上部に設けたラックと支軸両端のギヤとの噛み合わせてバケット底部内面に沿ってスクレーパを回動させて搬送材料を掻き落とす様にしたスクレーパ装置（特許文献１；図３（Ａ））、底板を二重構造として上底の弾発性を利用して反転時に搬送材料を弾き飛ばす様にしたバケット（特許文献２；図３（Ｂ））、復路側を通過するバケットに向けて洗浄水を噴射する様にしたバケットエレベータ（特許文献３；図３（Ｃ））、バケット幅よりやや短い角棒を鎖により取り付け、反転時に角棒が内面を滑り落ちるようにして付着物を掻き落とす様にしたバケット（特許文献４：図３（Ｄ））、等が提案されてきた。
【先行技術文献】
【特許文献】
【０００４】
【特許文献１】特開昭５６−７０２０６号公報
【特許文献２】特開平８−５８９４２号公報
【特許文献３】特開平９−１１８４１９号公報
【特許文献４】特開平１０−１９４４２２号公報
【考案の概要】
【考案が解決しようとする課題】
【０００５】
これら従来技術は、一応の効果は発揮できるものの、搬送材料の掻き落としに対する確実性が十分とはいえない。
【０００６】
そこで、本考案は、バケットエレベータにおいて、粘着性の高い搬送材料の掻き落とし性能を向上することを目的とする。
【課題を解決するための手段】
【０００７】
上記目的を達成するためになされた本考案のバケットエレベータは、材料投入口を備えたケーシング内に、上側チェーンホイールと下側チェーンホイールとに巻き掛けた無端状チェーンに対して所定間隔で多数のバケットを取り付けた本体部分を備え、前記無端状チェーンを駆動することにより、前記材料投入口から投入された搬送材料を前記バケットで掬い上げ、前記ケーシング上部の排出口から排出する様に構成し、さらに、以下の構成を備えていることを特徴とする。
（１Ａ）前記バケットは、底部所定範囲を一定の曲率で円弧状に湾曲させた底面湾曲部の両端から徐々に開く様にほぼ接線方向に連続させた第１平板部及び第２平板部を備え、側板によって側面を塞ぐことにより、一端開口を有するバケット本体を備えていること。
（１Ｂ）前記バケット本体内には、前記底面湾曲部の曲率中心となる位置を中心に回転可能となる様に、スクレーパ装置が取り付けられていること。
（１Ｃ）前記スクレーパ装置は、スクレーパ羽根と、前記側板に対して回転可能に軸支持させるためのボス部と、前記ボス部に嵌合された支持軸と、前記バケット本体の外側に位置する様に前記支持軸に固定されたギヤとを備えていること。
（１Ｄ）前記排出口から搬送材料を排出するために前記バケットの開口を下向きに反転させる位置に、前記スクレーパ装置のギヤを回転させることにより、前記スクレーパ羽根を回転させるスクレーパ駆動装置を備えていること。
【０００８】
本考案のバケットエレベータによれば、ケーシング内においてバケットを反転させて搬送材料を排出口から排出する際に、スクレーパ駆動装置がスクレーパ装置を作動させ、バケット内においてスクレーパ羽根を回転させる。ここで、バケット本体を（１Ａ）の様に構成し、スクレーパ装置を（１Ｂ）の様に取り付けることにより、スクレーパ羽根を底面湾曲部や側板に対してほぼ接する様なものとすることができる。この結果、バケット内に付着した搬送材料をスクレーパ羽根の回転によって確実に掻き落とすことができる。
【０００９】
ここで、本考案のバケットエレベータは、さらに、以下の構成をも備えるとよい。
（２）前記スクレーパ装置は、前記スクレーパ羽根として、等角度間隔となる様に複数枚を備えていること。
【００１０】
構成（２）をも備えることにより、複数枚のスクレーパ羽根の回転により、搬送材料の掻き落としをより確実なものとすることができる。
【００１１】
また、本考案のバケットエレベータは、さらに、以下の構成をも備えるとよい。
（３）前記スクレーパ羽根を、前記底面湾曲部の幅全体に渡って伸びる水平部と、該水平部の両端から前記側板に平行に回転中心方向に伸びる側面部とからなる概略コ字状の枠体で構成すること。
【００１２】
構成（３）をも備えることにより、スクレーパ羽根がどの様な位置に回転していてもバケット内の死角を最小限とすることができ、本来の機能である搬送材料の掬い上げ性能を損なうことがない。この様な作用・効果は、特に、複数枚のスクレーパ羽根を備える場合に有効である。
【００１３】
さらに、本考案のバケットエレベータは、さらに、以下の構成をも備えるとよい。
（４）前記スクレーパ駆動装置は、一対のチェーンホイールに巻き掛けた無端状のチェーンに対して所定間隔で設置された多数の作動爪を備え、前記作動爪は、当該スクレーパ駆動装置の設置位置に移動してきた前記スクレーパ装置のギヤの歯に噛み合うことができる長さを有し、前記チェーンに対して外側に向かって直角に突出した状態となる様に取り付けられ、前記一対のチェーンホイールの一方と前記本体部分の上側チェーンホイールとの間で動力を伝達する手段を備えていること。
【００１４】
構成（４）をも備えることにより、スクレーパ駆動装置を本体部分の駆動源によって駆動させることが可能となる。言い換えるなら、バケットによる搬送材料の掬い上げ動作を実行している間、スクレーパ装置による掻き落とし動作を自動的に実行させることが可能となる。また、本体部分とスクレーパ駆動装置とで動力源を共用することとなり、設備コストを低減することもできる。
【００１５】
上記目的を達成するためになされた本考案のバケットエレベータ用バケットは、バケットエレベータのケーシング内に設置される無端状チェーンに対して取り付けられる一端開口を有するものであって、以下の構成を備えていることを特徴とする。
（５）底部所定範囲を一定の曲率で円弧状に湾曲させた底面湾曲部の両端から徐々に開く様にほぼ接線方向に連続させた第１平板部及び第２平板部を備え、側板によって側面塞いだバケット本体の内部に、前記底面湾曲部の曲率中心となる位置を中心に回転可能であって、前記底面湾曲部の幅全体に渡って伸びる水平部と、該水平部の両端から前記側板に平行に回転中心方向に伸びる側面部とからなる概略コ字状の枠体で構成されたスクレーパ羽根を等角度間隔で複数枚備えるスクレーパ装置を備えていること。
【００１６】
本考案のバケットエレベータ用バケットによれば、スクレーパ羽根を底面湾曲部や側板に対してほぼ接する様なものとすることができる。この結果、バケット内に付着した搬送材料を、複数枚のスクレーパ羽根の回転によって確実に掻き落とすことができる。また、概略コ字状の枠体で構成したから、スクレーパ羽根がどの様な位置に回転していてもバケット内の死角を最小限とすることができる。
【００１７】
ここで、本考案のバケットエレベータ用バケットは、さらに、以下の構成をも備えるとよい。
（６）前記スクレーパ羽根を、前記スクレーパ装置を前記バケット本体の側板に接合するボス部と前記側面部との間に、内窄まりの傾斜部を介在させた構成とすること。
【００１８】
構成（６）をも備えることにより、ボス部と側板との間には空隙が形成された状態となる。この結果、スクレーパ羽根によって掻き落とされる搬送材料を空隙から逃がすことができ、スクレーパ装置の回転性能を安定させることができる。
【考案の効果】
【００１９】
本考案によれば、バケットエレベータにおいて、粘着性の高い搬送材料の掻き落とし性能を向上することができる。
【図面の簡単な説明】
【００２０】
【図１】実施例１のバケットエレベータを示し、（Ａ）は全体構成の構造説明図、（Ｂ）は二点鎖線で囲んだ部分の拡大図、（Ｃ）は点線で囲んだ部分の拡大図である。
【図２】実施例１のバケットを示し、（Ａ）は斜視図、（Ｂ）は側面図、（Ｃ）は内部構造そ示す側面図、（Ｄ）はスクレーパ装置の側面図、（Ｅ）はスクレーパの断面図、（Ｆ）はバケットとスクレーパの組み付け状態を示す断面図である。
【図３】従来技術の説明図である。
【考案を実施するための形態】
【００２１】
以下に、本考案を実施するための形態を実施例に基づいて説明する。
【実施例１】
【００２２】
実施例のバケットエレベータ１は、図１（Ａ），（Ｂ）に示す様に、上側チェーンホイール２と下側チェーンホイール３との間に巻き掛けた無端状チェーン４に対して所定間隔で多数のバケット５，５，…を取り付けた本体部分を、ケーシング６に対して下側チェーンホイール３がフリーな状態で吊り下げられた状態となる様に設置し、ケーシング下部の材料投入口７から投入された搬送材料をバケット５で掬い上げ、ケーシング上部の排出口８から排出する様に無端状チェーン４を駆動するモータ９を備えている。モータ９の動力は、上側チェーンホイール２に対して動力伝達用チェーン１０によって伝達される。
【００２３】
各バケット５においては、図２（Ａ）〜（Ｃ）に示す様に、底部所定範囲を一定の曲率で円弧状に湾曲させた底面湾曲部２１と、この底面湾曲部２１の両端から徐々に開く様にほぼ接線方向に連続させた第１平板部２２及び第２平板部２３とを備え、断面形状が全体として概略釣り鐘状とされ、側板２４，２５によって側面を塞ぐことにより、一端開口を有するバケット本体２０が構成されている。各バケット５は、図２（Ａ），（Ｂ）に示す様に、２列平行に構成された無端状チェーン４，４に対して、第１平板部２２を介してボルト締めによって接合されている。
【００２４】
また、バケット本体２０内には、図２（Ａ）〜（Ｆ）に示す様に、底面湾曲部２１の曲率中心となる位置を中心に回転可能となる様に、スクレーパ装置３０が取り付けられている。スクレーパ装置３０は、１２０度間隔で等間隔に配置した３枚のスクレーパ羽根３１，３１，３１と、側板２４，２５に対して回転可能に軸支持させるためのボス部３２，３２と、ボス部３２，３２に嵌合させる支持軸３３ａ，３３ｂと、一方の支持軸３３ａの外側端に固定されたギヤ３４とを備えている。
【００２５】
各スクレーパ羽根３１は、図２（Ｅ），（Ｆ）に示す様に、バケット５の底面湾曲部２１の幅全体に渡って伸びる水平部３１ａと、水平部３１ａの両端から側板２４，２５に平行に回転中心方向に伸びる側面部３１ｂ，３１ｂと、側面部３１ｂ，３１ｂとボス部３２，３２とを接合する傾斜部３１ｃ，３１ｃとからなる概略コ字状の枠体として構成されている。そして、図２（Ｆ）に示す様に、スクレーパ羽根３１の水平部３１ａ及び側面部３１ｂ，３１ｂは、それぞれの外側端がバケット本体２０の底面湾曲部２１及び側板２４，２５の内面に対して僅かな隙間をあけた状態となる寸法とされている。なお、傾斜部３１ｃ，３１ｃは、側板２４，２５から離れる様に内窄まりとなる様に傾斜している。この結果、ボス部３２，３２と側板２４，２５との間には空隙４１，４１が形成された状態となる。
【００２６】
本実施例のバケットエレベータ１は、図１（Ｂ），（Ｃ）に拡大して示す様に、バケット５の一方の側板２４の外側に位置するギヤ３４を回転させることによってスクレーパ装置３０を動作させるためのスクレーパ駆動装置５０を備えている。このスクレーパ駆動装置５０は、排出口８から搬送材料を排出するためにバケット５の開口を下向きに反転させる位置に設置されている。
【００２７】
スクレーパ駆動装置５０は、一対のチェーンホイール５１，５２と、これらチェーンホイール５１，５２に巻き掛けた無端状のチェーン５３と、チェーン５３に対して所定間隔で設置された多数の作動爪５４，５４，…とを備えている。作動爪５４，５４，…は、スクレーパ駆動装置５０の設置位置に移動してきたバケット５のギヤ３４の歯に噛み合うことができる長さを有し、チェーン５３に対して外側に向かって直角に突出した状態となる様に取り付けられている。
【００２８】
また、図１（Ｂ）に示す様に、スクレーパ駆動装置５０の上側のチェーンホイール５１と、バケット駆動用の上側チェーンホイール２との間に、動力伝達用チェーン５５が装着されている。これにより、スクレーパ駆動装置５０は、バケット駆動用のモータ９がバケットエレベータを駆動している間、自動的に動力を与えられる。
【００２９】
このバケットエレベータ１によれば、ケーシング６内においてバケット５を反転させて搬送材料を排出口８から排出する際に、スクレーパ駆動装置５０がスクレーパ装置４０を作動させ、バケット５内においてスクレーパ羽根３１を回転させる。スクレーパ羽根３１を底面湾曲部２１や側板２４，２５に対してほぼ接する様なものとしているから、バケット５内に付着した搬送材料を、３枚のスクレーパ羽根３１，３１，３１により、確実に掻き落とすことができる。また、スクレーパ羽根３１を概略コ字状の枠体で構成したから、スクレーパ羽根３１がどの様な位置に回転していてもバケット内の死角を最小限とすることができ、搬送材料の掬い上げ性能を損なうことがない。さらに、スクレーパ駆動装置５０も、モータ９によって駆動させるから、搬送材料の掬い上げ動作を実行している間、スクレーパ装置４０による掻き落とし動作が確実に実行され、そのための別途のモータ等を必要とせず、設備コストを低減することができる。加えて、スクレーパ羽根３１に内窄まりの傾斜部３１ｃ，ｃを備えさせたので、ボス部３２，３２と側板２４，２５との間には空隙４１が形成された状態となり、搬送材料を空隙４１から逃がすことができ、スクレーパ装置４０の回転性能を安定させることができる。この様に、本実施例によれば、バケットエレベータにおいて、粘着性の高い搬送材料の掻き落とし性能を向上することができる。
【００３０】
以上、本考案の実施例を説明したが、本考案はこれに限定されるものではなく、その要旨を逸脱しない範囲内で種々に実施することができる。
【００３１】
例えば、スクレーパ駆動装置５０の駆動用として専用のモータを備える様にしてもよい。
【産業上の利用可能性】
【００３２】
本考案は、材料の搬送装置に利用することができる。
【符号の説明】
【００３３】
１・・・バケットエレベータ、２・・・上側チェーンホイール、３・・・下側チェーンホイール、４・・・無端状チェーン、５・・・バケット、６・・・ケーシング、７・・・材料投入口、８・・・排出口、９・・・モータ、１０・・・動力伝達用チェーン、２０・・・バケット本体、２１・・・底面湾曲部、２２・・・第１平板部、２３・・・第２平板部、２４，２５・・・側板、３０・・・スクレーパ装置、３１・・・スクレーパ羽根、３１ａ・・・水平部、３１ｂ・・・側面部、３１ｃ・・・傾斜部、３２・・・ボス部、３３ａ，３３ｂ・・・支持軸、３４・・・ギヤ、４１・・・空隙、５０・・・スクレーパ駆動装置、５１，５２・・・チェーンホイール、５３・・・チェーン、５４・・・作動爪。
【図１】
0003216993.tif 000003
【図２】
0003216993.tif 000004
【図３】
0003216993.tif 000005
【手続補正書】
【提出日】平成30年4月27日(2018.4.27)
【手続補正１】
【補正対象書類名】図面
【補正対象項目名】図１
【補正方法】変更
【補正の内容】
【図１】
0003216993.tif 000006